(57)【要約】【課題】プロテクタに電線群の要保護部分を容易に収容することができ、高い生産性を有するワイヤハーネスおよびワイヤハーネスの製造方法を提供する。【解決手段】複数の電線１１よりなる電線群１０と、オーバーラップ巻き部分２２を有して電線群１０の要保護部分１２を巻物状に被覆するプロテクタ２０と、を備えたワイヤハーネス１であって、プロテクタ２０は、形状記憶ポリマーによって電線群１０の要保護部分１２を巻物状に被覆する形状記憶状態に成形してから、平板状に展開させた形状記憶パネルよりなり、平板状の形状記憶パネルに電線群１０の要保護部分１２を載置して加熱することにより、形状記憶状態に復元されて電線群１０の要保護部分１２を巻物状に被覆している。【選択図】図１
2016110880.tif 000002
【特許請求の範囲】
【請求項１】
複数の電線よりなる電線群と、
オーバーラップ巻き部分を有して前記電線群の要保護部分を巻物状に被覆するプロテクタと、を備えたワイヤハーネスであって、
前記プロテクタは、形状記憶ポリマーによって前記電線群の前記要保護部分を巻物状に被覆する形状記憶状態に成形してから、平板状に展開させた形状記憶パネルよりなり、平板状の前記形状記憶パネルに前記電線群の前記要保護部分を載置して加熱することにより、形状記憶状態に復元されて前記電線群の前記要保護部分を巻物状に被覆していることを特徴とするワイヤハーネス。
【請求項２】
前記プロテクタは、前記電線群を締め付ける内径となって前記電線群の前記要保護部分を巻物状に被覆する形状記憶状態に成形されてから、平板状に展開させた形状記憶パネルよりなり、加熱されることによって形状記憶状態に復元されて前記電線群の前記要保護部分を巻物状に被覆して締め付けていることを特徴とする請求項１に記載のワイヤハーネス。
【請求項３】
前記プロテクタは、少なくとも前記電線群の周長の二分の一以上の周方向長さの前記オーバーラップ巻き部分を有して前記電線群の前記要保護部分を巻物状に被覆する形状記憶状態に成形されてから、平板状に展開させた形状記憶パネルよりなり、加熱されることによって形状記憶状態に復元されて前記電線群の前記要保護部分を巻物状に被覆していることを特徴とする請求項１または２に記載のワイヤハーネス。
【請求項４】
前記プロテクタは、巻物状の形状記憶状態に成形される際に、軸方向の複数箇所でそれぞれ内面側に突出して周方向に連続する凸条部を有するよう成形されてから、前記凸条部を残した状態で平板状に展開させた形状記憶パネルよりなり、加熱されることによって形状記憶状態に復元されて前記電線群の前記要保護部分を巻物状に被覆して前記凸条部が前記電線群を締め付けていることを特徴とする請求項１ないし３のいずれか１項に記載のワイヤハーネス。
【請求項５】
前記プロテクタは、巻物状の形状記憶状態に成形される際に、軸方向の複数箇所でそれぞれ内面側に突出する複数の凸部で周方向に列状の隆条部に有するよう成形されてから、前記隆条部を残した状態で平板状に展開させた形状記憶パネルよりなり、加熱されることによって形状記憶状態に復元されて前記電線群の前記要保護部分を巻物状に被覆して前記隆条部が前記電線群を締め付けていることを特徴とする請求項１ないし３のいずれか１項に記載のワイヤハーネス。
【請求項６】
前記形状記憶ポリマーは、ポリオールとイソシアネートとを含み、Ｔｇが８０℃以上に設定された形状記憶ポリマーであることを特徴とする請求項１ないし５のいずれか１項に記載のワイヤハーネス。
【請求項７】
請求項１ないし６のいずれか１項に記載のワイヤハーネスの製造方法であって、
請求項１ないし６のいずれか１項に記載の平板状に展開した形状記憶パネルを準備する工程と、
前記形状記憶パネルに前記電線群の前記要保護部分を載置する工程と、
前記形状記憶パネルを所要温度に加熱して形状記憶状態に復元させることにより、前記電線群の前記要保護部分を巻物状に被覆する前記プロテクタを設ける工程と、を含むことを特徴とするワイヤハーネスの製造方法。
【発明の詳細な説明】
【技術分野】
【０００１】
本発明は、ワイヤハーネスおよびワイヤハーネスの製造方法に関する。
【背景技術】
【０００２】
従来、図１１に示すように、複数の電線５１よりなる電線群５０と、オーバーラップ巻き部分（重畳部）６２を有する巻物状に形成されて、電線群５０の要保護部分５２を巻物状に被覆するプロテクタ６０と、を備えたワイヤハーネス１０１が知られている（特許文献１参照）。
【０００３】
ワイヤハーネス１０１は、合成樹脂製のシート６１を巻物状にロール曲げ加工して形成されたプロテクタ６０を、シート６１の曲げ加工開始部分６３からオーバーラップ巻き部分６２を手作業で開くことによって開口部６４を形成し、この開口部６４から、プロテクタ６０の内部に電線群５０の要保護部分５２を収容するようにして構成されている。
【先行技術文献】
【特許文献】
【０００４】
【特許文献１】実用新案登録第３１７９０３２号公報
【発明の概要】
【発明が解決しようとする課題】
【０００５】
しかしながら、特許文献１に開示されたワイヤハーネス１０１は、電線群５０の要保護部分５２を巻物状のプロテクタ６０に収容する際に、オーバーラップ巻き部分６２をシート６１の曲げ加工開始部分６３から手作業で開くというような手間が掛かる煩雑な作業が必要であるので、プロテクタ６０に電線群５０の要保護部分５２を収容する工程が生産コスト上昇の要因となるという問題があった。
【０００６】
本発明は上述のような課題を解決するためになされたもので、プロテクタに電線群の要保護部分を容易に収容することができ、高い生産性を有するワイヤハーネスおよびワイヤハーネスの製造方法を提供することを目的としている。
【課題を解決するための手段】
【０００７】
本発明に係るワイヤハーネスは、上記目的達成のため、複数の電線よりなる電線群と、オーバーラップ巻き部分を有して前記電線群の要保護部分を巻物状に被覆するプロテクタと、を備えたワイヤハーネスであって、前記プロテクタは、形状記憶ポリマーによって前記電線群の前記要保護部分を巻物状に被覆する形状記憶状態に成形してから、平板状に展開させた形状記憶パネルよりなり、平板状の前記形状記憶パネルに前記電線群の前記要保護部分を載置して加熱することにより、形状記憶状態に復元されて前記電線群の前記要保護部分を巻物状に被覆した構成を備える。
【０００８】
この構成により、本発明に係るワイヤハーネスは、平板状に展開させた形状記憶パネルに電線群の要保護部分を載置して加熱するだけで、プロテクタが形状記憶状態に復元して電線群の要保護部分を巻物状に被覆する。
【０００９】
このため、本発明に係るワイヤハーネスは、従来のようなオーバーラップ巻き部分を手作業で開くというような手間の係る煩雑な作業を行うことなくプロテクタに電線群の要保護部分を容易に収容することができ、プロテクタにおけるオーバーラップ巻き部分の割合を多くしても組み立てが容易で、プロテクタの自動的な巻き付けが可能となり、生産コストを低減することができる。
【００１０】
上述したワイヤハーネスにおいて、前記プロテクタは、前記電線群を締め付ける内径となって前記電線群の前記要保護部分を巻物状に被覆する形状記憶状態に成形されてから、平板状に展開させた形状記憶パネルよりなり、加熱されることによって形状記憶状態に復元されて前記電線群の前記要保護部分を巻物状に被覆して締め付けている構成とすることが好ましい。
【００１１】
この構成により、本発明に係るワイヤハーネスは、形状記憶状態に復元したプロテクタが電線群の要保護部分を巻物状に被覆して電線群を締め付けるので、プロテクタを締め付けて電線群に固定するためのテープ巻き作業が不要になり、生産コストを低減することができる。
【００１２】
上述したワイヤハーネスにおいて、前記プロテクタは、少なくとも前記電線群の周長の二分の一以上の周方向長さの前記オーバーラップ巻き部分を有して前記電線群の前記要保護部分を巻物状に被覆する形状記憶状態に成形されてから、平板状に展開させた形状記憶パネルよりなり、加熱されることによって、形状記憶状態に復元されて前記電線群の前記要保護部分を巻物状に被覆している構成とすることが好ましい。
【００１３】
この構成により、本発明に係るワイヤハーネスは、プロテクタが、少なくとも電線群の周長の二分の一以上の周方向長さのオーバーラップ巻き部分を有して電線群の要保護部分を巻物状に被覆するので、ワイヤハーネスを配索する際にプロテクタが小半径で曲げられたとしても、オーバーラップ巻き部分がめくれることがなく、プロテクタの外部に電線群の要保護部分がはみ出すことがない。
【００１４】
上述したワイヤハーネスにおいて、前記プロテクタは、巻物状の形状記憶状態に成形される際に、軸方向の複数箇所でそれぞれ内面側に突出して周方向に連続する凸条部を有するよう成形されてから、前記凸条部を残した状態で平板状に展開させた形状記憶パネルよりなり、加熱されることによって形状記憶状態に復元されて前記電線群の前記要保護部分を巻物状に被覆して前記凸条部が前記電線群を締め付けている構成とすることが好ましい。
【００１５】
この構成により、本発明に係るワイヤハーネスは、プロテクタが形状記憶状態に復元するときに、複数の凸条部が電線群の要保護部分の所定個所に当接して電線群を締め付けていくので、各凸条部が電線群に対して滑り易く、電線群の締め付けが容易かつ良好に行われる。
【００１６】
上述したワイヤハーネスにおいて、前記プロテクタは、巻物状の形状記憶状態に成形される際に、軸方向の複数箇所でそれぞれ内面側に突出する複数の凸部で周方向に列状の隆条部に有するよう成形されてから、前記隆条部を残した状態で平板状に展開させた形状記憶パネルよりなり、加熱されることによって形状記憶状態に復元されて前記電線群の前記要保護部分を巻物状に被覆して前記隆条部が前記電線群を締め付けている構成とすることが好ましい。
【００１７】
この構成により、本発明に係るワイヤハーネスは、プロテクタが形状記憶状態に復元するときに、複数状に配列された複数の凸部が電線群の要保護部分の所定個所に当接して電線群を締め付けていくので、各凸部が電線群に対して滑り易く、電線群の締め付けが容易かつ良好に行われる。
【００１８】
上述したワイヤハーネスにおいて、前記形状記憶ポリマーは、ポリオールとイソシアネートとを含み、ガラス転移点Ｔｇが８０℃以上に設定された形状記憶ポリマーである構成とすることが好ましい。
【００１９】
この構成により、本発明に係るワイヤハーネスは、夏季においてもプロテクタを形状記憶状態に保つことができる。
【００２０】
本発明に係るワイヤハーネスの製造方法は、前述した平板状に展開した形状記憶パネルを準備する工程と、前記形状記憶パネルに前記電線群の前記要保護部分を載置する工程と、前記形状記憶パネルを所要温度に加熱して形状記憶状態に復元させることにより、前記電線群の前記要保護部分を巻物状に被覆する前記プロテクタを設ける工程と、を含む構成を備える。
【００２１】
この構成により、本発明に係るワイヤハーネスの製造方法は、平板状に展開させた形状記憶パネルに電線群の要保護部分を載置して加熱するだけで、プロテクタが形状記憶状態に復元して電線群の要保護部分を巻物状に被覆する。
【００２２】
このため、本発明に係るワイヤハーネスの製造方法は、手間の係る煩雑な作業を経ずにプロテクタに電線群の要保護部分を容易に収容することができ、組立性が向上して、生産コストを低減することができる。
【発明の効果】
【００２３】
本発明によれば、プロテクタに電線群の要保護部分を容易に収容することができ、高い生産性を有するワイヤハーネスおよびワイヤハーネスの製造方法を提供することができる。
【図面の簡単な説明】
【００２４】
【図１】本発明の第１の実施の形態に係るワイヤハーネスの軸線方向視図である。
【図２】本発明の第１の実施の形態に係るワイヤハーネスの側方視図である。
【図３】本発明の第１の実施の形態に係るワイヤハーネスの製造方法を示す工程図である。
【図４】形状記憶ポリマーの弾性率の温度依存性を表すグラフである。
【図５】本発明の第２の実施の形態に係るワイヤハーネスの軸線方向視図である。
【図６】本発明の第２の実施の形態に係るワイヤハーネスの概略構成図であり、（ａ）は側方視図、（ｂ）は範囲Ｉにおけるプロテクタの部分斜視図、（ｃ）は範囲Ｉにおけるプロテクタの部分横断面図である。
【図７】本発明の第２の実施の形態に係るワイヤハーネスの製造方法を示す工程図である。
【図８】本発明の第３の実施の形態に係るワイヤハーネスの軸線方向視図である。
【図９】本発明の第３の実施の形態に係るワイヤハーネスの概略構成図であり、（ａ）は側方視図、（ｂ）は範囲ＩＩにおけるプロテクタの部分斜視図、（ｃ）は範囲ＩＩにおけるプロテクタの部分横断面図である。
【図１０】本発明の第３の実施の形態に係るワイヤハーネスの製造方法を示す工程図であり、（ａ）は電線の軸方向視図、（ｂ）はＢ方向視図、（ｃ）Ｃ方向視図である。
【図１１】従来のワイヤハーネスの概略構成図であり、（ａ）はプロテクタに電線群を収容する作業中を示し、（ｂ）はプロテクタに電線群を収容した後を示している。
【発明を実施するための形態】
【００２５】
以下、本発明の実施の形態に係るワイヤハーネスおよびワイヤハーネスの製造方法ついて、図面を参照して説明する。
【００２６】
図１〜図３に示すように、本発明の第１の実施の形態に係るワイヤハーネス１は、複数の電線１１よりなる電線群１０と、オーバーラップ巻き部分２２を有して電線群１０の要保護部分１２を巻物状に被覆するプロテクタ２０と、を備えている。電線群１０は、複数の電線１１を図示しない粘着テープ等により束ねたものである。
【００２７】
プロテクタ２０は、形状記憶ポリマーによって電線群１０の要保護部分１２を巻物状に被覆して締め付ける内径を有する形状記憶状態に成形してから、平板状に展開させた形状記憶パネル２１よりなり、平板状の形状記憶パネル２１に電線群１０の要保護部分１２を載置して加熱することにより、形状記憶状態に復元されて電線群１０の要保護部分１２を巻物状に被覆している。
【００２８】
プロテクタ２０は、軸方向長さが、電線群１０の要保護部分１２の長さに一致するよう設定され、オーバーラップ巻き部分２２の周方向長さが、例えば、電線群１０の周長の約四分の三に設定されている。オーバーラップ巻き部分２２の周方向長さは、電線群１０の周長の二分の一以上とすることが好ましい。
【００２９】
したがって、形状記憶パネル２１の厚みは、例えば、０．５〜３．０ｍｍ位が好ましい。また、形状記憶パネル２１の幅は、電線群１０を締め付けるよう巻き付けたときの周長にオーバーラップ巻き部分２２の巻き代を加えた長さとし、形状記憶パネル２１の長さは、電線群１０の要保護部分１２の長さに合わせる。
【００３０】
形状記憶ポリマーは、成形加工後に力を加えて変形させても、ある温度以上に加熱すると変形前の形状に復元する物質であり、図４に示すように、温度に依存してガラス転移点（以下、Ｔｇと呼ぶ）を境に可逆的に弾性率が変化する。
【００３１】
形状記憶ポリマーは、Ｔｇ以上の温度でゴムのように柔らかくなって簡単に成形できるようになり、Ｔｇ付近の温度で力を加えて変形させた後に、Ｔｇ未満の温度に冷却すると硬くなり、変形した形状を維持するという物性（形状固定性）と、固化変形後にＴｇ以上の温度に加熱すると、初めに成形した形状に自律的に復元するという物性（形状回復性）とを具備している。
【００３２】
形状記憶ポリマーは、例えば、ポリオールとイソシアネート等を原料として製造されるポリウレタン系材料であり、これらの原料成分の種類（分子構造）や分子量、配合を調整することにより、Ｔｇを−４０〜１２０℃の範囲で設定することができる。本実施の形態に係るプロテクタ２０に用いる形状記憶ポリマーは、Ｔｇを夏季にプロテクタ２０が高温になる温度よりも高い８０℃に設定している。
【００３３】
プロテクタ２０は、例えば、熱風を吹き付けることによりＴｇ以上の温度に加熱されて柔らかくなった形状記憶ポリマーを、図示しない治具を巻物状に被覆する形状記憶状態に成形してから、例えば、冷風を吹き付けることにより冷却してＴｇ付近で力を加えて平板状に展開させ、さらに、冷風を吹き付けることによりＴｇ未満の温度に冷却して形状記憶パネル２１を形成させている。治具は、電線群１０よりも若干外径が小さい断面形状を有している。
【００３４】
プロテクタ２０は、平板状の形状記憶パネル２１に電線群１０の要保護部分１２を載置して形状記憶パネル２１をＴｇ以上の温度に加熱されることにより、形状記憶状態に復元されて電線群１０の要保護部分１２を巻物状に被覆して締め付けている。
【００３５】
本実施の形態に係るワイヤハーネス１は、平板状に展開させた形状記憶パネル２１に電線群１０の要保護部分１２を載置して加熱するだけで、プロテクタ２０が形状記憶状態に復元して電線群１０の要保護部分１２を巻物状に被覆して締め付ける。
【００３６】
このため、本実施の形態に係るワイヤハーネス１は、手間の係る煩雑な作業を行うことなくプロテクタ２０に電線群１０の要保護部分１２を容易に収容することができ、プロテクタ２０の取付作業における手作業を大幅に省略することができ、プロテクタ２０を締め付けて電線群１０に固定するためのテープ巻き作業が不要になり、組立性が向上して、生産コストを低減することができる。
【００３７】
本実施の形態に係るワイヤハーネス１は、プロテクタ２０が、少なくとも電線群１０の周長の四分の三の周方向長さのオーバーラップ巻き部分２２を有して電線群１０の要保護部分１２を巻物状に被覆する。
【００３８】
このため、本実施の形態に係るワイヤハーネス１は、ワイヤハーネス１を配索する際にプロテクタ２０が小半径で曲げられたとしても、オーバーラップ巻き部分２２がめくれることがなく、プロテクタ２０の外部に電線群１０の要保護部分１２がはみ出すことがない。
【００３９】
また、本実施の形態に係るワイヤハーネス１は、プロテクタ２０が、電線群１０の周長の二倍の周方向長さのオーバーラップ巻き部分２２を有して電線群１０の要保護部分１２を巻物状に被覆するような構成としも、形状記憶パネル２１の厚みを薄肉に調整することにより、プロテクタ２０を曲げることが可能であり、配索を良好に行える。
【００４０】
さらに、本実施の形態に係るワイヤハーネス１は、プロテクタ２０を形成する形状記憶ポリマーのＴｇが８０℃以上に設定されているので、夏季においてもプロテクタ２０を形状記憶状態に保つことができる。
【００４１】
図５〜図７に示すように、本発明の第２の実施の形態に係るワイヤハーネス１Ａは、複数の電線１１よりなる電線群１０と、オーバーラップ巻き部分２２を有して電線群１０の要保護部分１２を巻物状に被覆するプロテクタ２０と、を備えている。電線群１０は、複数の電線１１を図示しない粘着テープ等により束ねたものである。
【００４２】
本実施の形態に係るワイヤハーネス１Ａは、プロテクタ２０を形成する形状記憶ポリマーの種類、プロテクタ２０の軸方向長さ、オーバーラップ巻き部分２２の周方向長さ等が、前述した第１の実施の形態と同等になっている。
【００４３】
プロテクタ２０は、形状記憶ポリマーによって電線群１０の要保護部分１２を巻物状に被覆する形状記憶状態に成形される際に、軸方向の二箇所でそれぞれ内面側に突出して周方向に連続する凸条部２３を有するよう成形されてから、凸条部２３を残した状態で平板状に展開させた形状記憶パネル２１よりなり、平板状の形状記憶パネル２１に電線群１０の要保護部分１２を載置して加熱するより、形状記憶状態に復元されて電線群１０の要保護部分１２を巻物状に被覆して凸条部２３が電線群１０を締め付けている。
【００４４】
本実施の形態に係るワイヤハーネス１Ａは、平板状に展開させた形状記憶パネル２１に電線群１０の要保護部分１２を載置して加熱するだけで、プロテクタ２０が形状記憶状態に復元して電線群１０の要保護部分１２を巻物状に被覆して締め付ける。
【００４５】
このため、本実施の形態に係るワイヤハーネス１Ａは、手間の係る煩雑な作業を経ずにプロテクタ２０に電線群１０の要保護部分１２を容易に収容することができ、プロテクタ２０を締め付けて電線群１０に固定するためのテープ巻き作業が不要になり、組立性が向上して、生産コストを低減することができる。
【００４６】
本実施の形態に係るワイヤハーネス１Ａは、プロテクタ２０が形状記憶状態に復元するときに、二箇所の凸条部２３が電線群１０の要保護部分１２の所定個所に当接して電線群１０を締め付けていくので、各凸条部２３が電線群１０に対して滑り易く、電線群１０の締め付けが容易かつ良好に行われる。
【００４７】
図８〜図１０に示すように、本発明の第３の実施の形態に係るワイヤハーネス１Ｂは、複数の電線１１よりなる電線群１０と、オーバーラップ巻き部分２２を有して電線群１０の要保護部分１２を巻物状に被覆するプロテクタ２０と、を備えている。電線群１０は、複数の電線１１を図示しない粘着テープ等により束ねたものである。
【００４８】
プロテクタ２０は、形状記憶ポリマーによって電線群１０の要保護部分１２を巻物状に被覆する形状記憶状態に成形される際に、軸方向の二箇所でそれぞれ内面側に突出する複数の凸部２４で周方向に列状の隆条部２５を有するよう成形されてから、隆条部２５を残した状態で平板状に展開させた形状記憶パネル２１よりなり、平板状の形状記憶パネル２１に電線群１０の要保護部分１２を載置して加熱するより、形状記憶状態に復元されて電線群１０の要保護部分１２を巻物状に被覆して電線群１０を締め付けている。
【００４９】
本実施の形態に係るワイヤハーネス１Ｂは、平板状に展開させた形状記憶パネル２１に電線群１０の要保護部分１２を載置して加熱するだけで、プロテクタ２０が形状記憶状態に復元して電線群１０の要保護部分１２を巻物状に被覆して締め付ける。
【００５０】
このため、本実施の形態に係るワイヤハーネス１Ｂは、手間の係る煩雑な作業を経ずにプロテクタ２０に電線群１０の要保護部分１２を容易に収容することができ、プロテクタ２０を締め付けて電線群１０に固定するためのテープ巻き作業が不要になり、組立性が向上して、生産コストを低減することができる。
【００５１】
本実施の形態に係るワイヤハーネス１Ｂは、プロテクタ２０が形状記憶状態に復元するときに、二箇所の隆条部２５が電線群１０の要保護部分１２の所定個所に当接して電線群１０を締め付けていくので、各隆条部２５が電線群１０に対して滑り易く、電線群１０の締め付けが容易かつ良好に行われる。
【００５２】
以上説明したように、本発明に係るワイヤハーネスおよびワイヤハーネスの製造方法は、プロテクタに電線群の要保護部分を容易に収容することができ、高い生産性を有するという効果を有し、ワイヤハーネスおよびワイヤハーネスの製造方法全般に有用である。
【符号の説明】
【００５３】
１，１Ａ，１Ｂ  ワイヤハーネス
１０  電線群
１１  電線
１２  要保護部分
２０  プロテクタ
２１  形状記憶パネル
２２  オーバーラップ巻き部分
２３  凸状部
２４  凸部
２５  隆条部
【図１】
2016110880.tif 000003
【図２】
2016110880.tif 000004
【図３】
2016110880.tif 000005
【図４】
2016110880.tif 000006
【図５】
2016110880.tif 000007
【図６】
2016110880.tif 000008
【図７】
2016110880.tif 000009
【図８】
2016110880.tif 000010
【図９】
2016110880.tif 000011
【図１０】
2016110880.tif 000012
【図１１】
2016110880.tif 000013